(57)【特許請求の範囲】
【請求項１】
遊技機設置島台の上部を装飾するための欄間を、遊技機設置島台の桁に対して開閉自在に取り付ける欄間取付用蝶番であって、
第１軸部材を第１回動軸として第１板部材と第２板部材とが回動自在に取り付けられてなる蝶番本体と、
前記第２板部材の板面に対して前記欄間の裏面の形状に合わせた所定の大きさの角をなす取付面が形成され、当該第２板部材に取り付けられる可動腕部材と、
前記可動腕部材を前記第２板部材の板面に垂直な第２回動軸周りに回動させて、当該取付面の向きを変化させる取付面方向変更手段と、
を備え、
前記第１板部材にて前記桁に固定され、前記可動腕部材の前記取付面にて前記欄間の裏面に固定されることを特徴とする欄間取付用蝶番。
【請求項２】
前記可動腕部材は、
一端側に前記第２板部材の板面に対して前記欄間の裏面の形状に合わせた所定の大きさの角をなす取付面が形成され、他端側に当該取付面の面方向に長い長孔が形成され、当該長孔を貫通する第２軸部材によって前記第２板部材に取り付けられており、
前記第２軸部材を第２回動軸として前記第２板部材の板面に沿って回動することができ、かつ、前記長孔の範囲内で前記第２板部材の板面に沿って摺動することができる様に構成されていることを特徴とする請求項１に記載の欄間取付用蝶番。
【請求項３】
前記可動腕部材は、
第３軸部材を第２回動軸として前記第２板部材の板面に沿って回動することができる様に当該第２板部材に取り付けられる第１腕部と、
前記第２板部材の板面に対して前記欄間の裏面の形状に合わせた所定の大きさの角をなす取付面が形成され、前記第２板部材の板面に対して垂直な第４軸部材を第３回動軸として回動することができる様に前記第１腕部に取り付けられる第２腕部と、
によって構成されていることを特徴とする請求項１に記載の欄間取付用蝶番。
【請求項４】
前記第２板部材は、
前記第１軸部材が取り付けられる側とは反対側の辺が円弧状に形成されていることを特徴とする請求項１〜３のいずれか１項に記載の欄間取付用蝶番。  
【請求項５】
遊技機設置島台の上部を装飾するための欄間を、遊技機設置島台の桁に対して開閉自在に取り付ける欄間取付用蝶番であって、
第１軸部材を第１回動軸として第１板部材と第２板部材とが回動自在に取り付けられてなる蝶番本体と、
前記第２板部材の板面に対して前記欄間の裏面の形状に合わせた所定の大きさの角をなす取付面が形成され、当該第２板部材に取り付けられる可動腕部材と、
を備え、
前記可動腕部材は、
前記第２板部材の板面に沿って取り付けられる第１腕部と、
前記第２板部材の板面に対して垂直な取付面が形成され、前記第２板部材の板面に対して垂直な第４軸部材を第３回動軸として回動することができる様に前記第１腕部に取り付けられる第２腕部と、
によって構成され、
前記第１板部材にて前記桁に固定され、前記可動腕部材の前記取付面にて前記欄間の裏面に固定されることを特徴とする欄間取付用蝶番。
【発明の詳細な説明】
【０００１】
【発明の属する技術分野】
本発明は、遊技機設置島台の上部を装飾するための欄間を、遊技機設置島台の桁に対して開閉自在に取り付ける欄間取付用蝶番に関する。
【０００２】
【従来の技術、及び発明が解決しようとする課題】
従来、図７に示す様に、パチンコ遊技場には、複数の遊技機７０によって構成される遊技機設置島台５０ａが設置されており、遊技機設置島台５０ａの上部には、遊技者の目を楽しませるための美しい装飾が施された「欄間」と呼ばれる長方形の板５２ａが設けられている。この欄間５２ａは、遊技機設置島台５０ａの桁５１ａに、蝶番６０を介して開閉自在に取り付けられており、遊技機設置島台５０ａ内に設けられているパチンコ球循環装置（図示せず）等に異常が発生した場合には、この欄間５２ａを開いて点検・修理等が行われる。尚、図７において、実線は、欄間が完全に閉じられている状態（通常時の状態）を表し、破線は、欄間が６０乃至７０度開かれている状態（点検・修理時の状態）を表す。
【０００３】
そして、近年、パチンコ遊技場内における遊技機の配置に変化を持たせるために、図８に示す様な湾曲した遊技機設置島台５０ｂが考案され、実用されている。この様な湾曲した遊技機設置島台５０ｂを設置すると、パチンコ遊技場の雰囲気を一変させることができ、大きな集客効果を得ることができるので、採用するパチンコ遊技場が増加している。
【０００４】
ところで、欄間には、表面だけでなく上面（欄間を閉じた状態で天井側を向く面）にも装飾が施されているものがあり、従来、この様な欄間を桁に取り付ける場合には、図９（ｃ）に示す様に、まず、湾曲した欄間５２ｂの裏面を加工して欄間５２ｂの開閉動作の回動軸に平行な取付面５２ｃを形成した後、蝶番６０を構成する第１板部材を桁５１ｂの上面に固定し、第２板部材を第１板部材と直交させて欄間５２ｂの取付面５２ｃに固定していた。しかし、欄間５２ｂに取付面５２ｃを形成するためには時間を要する。又、図９（ｃ）に示す様に、欄間５２ｂの裏面を削って取付面５２ｃを形成すると、その部分の強度が低下する。
【０００５】
そこで、本発明は、湾曲した遊技機設置島台に湾曲した欄間を取り付けるにあたり、曲率に関わらず自在に取り付けることができる欄間取付用蝶番を提供することを目的とする。
【０００６】
【０００７】
【０００８】
【０００９】
【００１０】
【００１１】
【００１２】
【００１３】
【００１４】
【００１５】
【００１６】
【課題を解決するための手段、及び発明の効果】
この様な目的を達成するため、本発明にかかる欄間取付用蝶番は、請求項１に記載されている様に、遊技機設置島台の上部を装飾するための欄間を、遊技機設置島台の桁に対して開閉自在に取り付ける欄間取付用蝶番であって、第１軸部材を第１回動軸として第１板部材と第２板部材とが回動自在に取り付けられてなる蝶番本体と、前記第２板部材の板面に対して前記欄間の裏面の形状に合わせた所定の大きさの角をなす取付面が形成され、当該第２板部材に取り付けられる可動腕部材と、前記可動腕部材を前記第２板部材の板面に垂直な第２回動軸周りに回動させて、当該取付面の向きを変化させる取付面方向変更手段と、を備え、前記第１板部材にて前記桁に固定され、前記可動腕部材の前記取付面にて前記欄間の裏面に固定されることを特徴とする。
【００１７】
本発明にかかる欄間取付用蝶番は、可動腕部材に、第２板部材の板面に対して欄間の裏面の形状に合わせた所定の大きさの角（欄間の裏面が平坦である場合には直角とする）をなす取付面が形成されている。そして、取付面方向変更手段により、可動腕部材を第２板部材の板面に垂直な第２回動軸周りに回動させて、欄間の曲率に合わせて取付面の向きを変化させ、取付面と欄間の裏面とを略平行となる様にすることができる様に構成されている。
【００１８】
このため、様々な曲率の遊技機設置島台及び欄間を、欄間の裏面に何等加工を施すことなく１種類の欄間取付用蝶番によって取り付けることができる。従って、無駄な加工時間を省くことができ、又、欄間の強度を低下させてしまうこともない。又、裏面（側面）で取り付ければ、欄間に作用する重力の向きと取付面の向きとが一致しない（特に、取付面が第２板部材の板面に対して垂直である場合には、欄間に作用する重力の向きは取付面の向きに対して垂直となる）ので、上面で取り付ける場合に比べ、欄間をより一層安定した状態で支持することができる。
【００１９】
【００２０】
次に、請求項２に記載された欄間取付用蝶番は、前記可動腕部材が、一端側に前記第２板部材の板面に対して前記欄間の裏面の形状に合わせた所定の大きさの角をなす取付面が形成され、他端側に当該取付面の面方向に長い長孔が形成され、当該長孔を貫通する第２軸部材によって前記第２板部材に取り付けられており、前記第２軸部材を第２回動軸として前記第２板部材の板面に沿って回動することができ、かつ、前記長孔の範囲内で前記第２板部材の板面に沿って摺動することができる様に構成されていることを特徴とする。
【００２１】
本発明にかかる欄間取付用蝶番が請求項２に記載されている様に構成されている場合には、第２軸部材を第２回動軸として可動腕部材を第２板部材の板面に沿って適宜回動させると共に、長孔の範囲内で第２板部材の板面に沿って適宜摺動させれば、取付面と欄間の裏面とを略平行となる様にすることができると共に、桁と欄間との隙間間隔を微調整して所望の隙間間隔とすることができる。
【００２２】
次に、請求項３に記載された欄間取付用蝶番は、前記可動腕部材は、第３軸部材を第２回動軸として前記第２板部材の板面に沿って回動することができる様に当該第２板部材に取り付けられる第１腕部と、前記第２板部材の板面に対して前記欄間の裏面の形状に合わせた所定の大きさの角をなす取付面が形成され、前記第２板部材の板面に対して垂直な第４軸部材を第３回動軸として回動することができる様に前記第１腕部に取り付けられる第２腕部と、によって構成されていることを特徴とする。
このようにすると、第３軸部材を第２回動軸として第１腕部を適宜回動させると共に、第４軸部材を第３回動軸として第２腕部を適宜回動させれば、取付面と欄間の裏面とを略平行となる様にすることができると共に、桁と欄間との隙間間隔を微調整して所望の隙間間隔とすることができる。
【００２３】
尚、請求項４に記載したように、前記第２板部材は、前記第１軸部材が取り付けられる側とは反対側の辺が円弧状に形成されているとよい。
【００２４】
次に、請求項５に記載したように欄間取付用蝶番は、遊技機設置島台の上部を装飾するための欄間を、遊技機設置島台の桁に対して開閉自在に取り付ける欄間取付用蝶番であって、第１軸部材を第１回動軸として第１板部材と第２板部材とが回動自在に取り付けられてなる蝶番本体と、前記第２板部材の板面に対して前記欄間の裏面の形状に合わせた所定の大きさの角をなす取付面が形成され、当該第２板部材に取り付けられる可動腕部材と、を備え、前記可動腕部材は、前記第２板部材の板面に沿って取り付けられる第１腕部と、前記第２板部材の板面に対して垂直な取付面が形成され、前記第２板部材の板面に対して垂直な第４軸部材を第３回動軸として回動することができる様に前記第１腕部に取り付けられる第２腕部と、によって構成され、前記第１板部材にて前記桁に固定され、前記可動腕部材の前記取付面にて前記欄間の裏面に固定されるように構成してもよい。
このようにすると、第４軸部材を第３回動軸として第２腕部を適宜回動させれば、取付面と欄間の裏面とを略平行となる様にすることができる。
【００２５】
【発明の実施の形態】
以下、第１及び第２の発明の実施の形態を図面に基づいて説明する。［第１実施例］まず、本実施例の欄間取付用蝶番の構成について説明する。
【００２６】
図１（ａ）は、本実施例の欄間取付用蝶番の構成を説明するための斜視図である。本実施例の欄間取付用蝶番１０は、前述した図７に示す直線状の遊技機設置島台５０ａや図８に示す湾曲した遊技機設置島台５０ｂの上部を装飾するための欄間５２ａ，５２ｂを、桁５１ａ，５１ｂに対して開閉自在に取り付けるためのものであり、図１（ａ）に示す様に、取付板１１，第１ピン１２，回動板１３からなる蝶番本体１０ａと、第２ピン１４と、支持板１５と、固定ナット１６と、によって構成されている。
【００２７】
蝶番本体１０ａは、第１ピン１２に対して取付板１１と回動板１３とが回動自在に取り付けられることによって構成されている。取付板１１は、直線状の遊技機設置島台５０ａの桁５１ａや湾曲した遊技機設置島台５０ｂの桁５１ｂに取り付けられる部分であり、木螺子用の螺子孔１１ａが３つ設けられている。
【００２８】
回動板１３には、第２ピン１４を回動軸として回動板１３の面に沿って回動自在に（図１（ａ）に示す矢印の様に回動する様に）支持板１５の一端側が取り付けられている。第２ピン１４には螺子山が形成されており、第２ピン１４に螺合されている固定ナット１６を締め付けることによって支持板１５を回動板１３に固定する（支持板１５の回動を禁止する）様に構成されている。尚、第２ピン１４は、回動板１３を貫通するボルトであっても良いし、回動板１３の上面に溶接等によって突設されていても良い。
【００２９】
支持板１５の他端側は、直線状の遊技機設置島台５０ａの欄間５２ａや湾曲した遊技機設置島台５０ｂの欄間５２ｂに取り付けられる部分であり、木螺子用の螺子孔１５ａが１つ設けられている。続いて、本実施例の欄間取付用蝶番の使用方法（欄間の取り付け方法）について説明する。
【００３０】
図３は、欄間取付用蝶番１０を用いて、直線状の遊技機設置島台５０ａの桁５１ａに直線状の欄間５２ａを取り付けた状態を説明するための平面図であり、図４は、欄間取付用蝶番１０を用いて、湾曲した遊技機設置島台５０ｂの桁５１ｂに湾曲した欄間５２ｂを取り付けた状態を説明するための平面図である。
【００３１】
欄間取付用蝶番１０を用いて、直線状の遊技機設置島台５０ａの桁５１ａに直線状の欄間５２ａを取り付ける場合には、図３に示す様に、まず、２つの欄間取付用蝶番１０の第１ピン１２が一直線上に位置する様に欄間取付用蝶番１０の位置を調整し、取付板１１の３つの螺子孔１１ａに木螺子１１ｂを通し、取付板１１を桁５１ａの上面に固定する。
【００３２】
次に、桁５１ａと欄間５２ａとの位置関係（桁５１ａと欄間５２ａとの距離）を調整する。例えば、図３において実線で示す位置関係で取り付ける様にしても良いし、図３において破線で示す位置関係で取り付ける様にしても良い。そして、桁５１ａと欄間５２ａとの位置関係を決定したら、支持板１５の螺子孔１５ａが欄間５２ａの厚さ方向の略中央に位置する様に支持板１５を回動させる。具体的には、図３に実線で示す様に、桁５１ａと欄間５２ａとの距離が長い状態で欄間５２ａを取り付ける場合には、支持板１５を実線で示す様な位置に回動させ、図３に破線で示す様に、桁５１ａと欄間５２ａとの距離が短い状態で欄間５２ａを取り付ける場合には、支持板１５を破線で示す様な位置に回動させる。
【００３３】
そして、支持板１５の螺子孔１５ａに木螺子１５ｂを通し、支持板１５を欄間５２ａの上面に固定する。最後に、固定ナット１６を締め付けることによって支持板１５を回動板１３に固定する（支持板１５の回動を禁止する）。
【００３４】
この様な手順で、欄間５２ａを桁５１ａに固定する。尚、本実施例では、各欄間５２ａの両端付近で各欄間５２ａを欄間取付用蝶番１０を介して桁５１ａに取り付ける。同様に、欄間取付用蝶番１０を用いて、湾曲した遊技機設置島台５０ｂの桁５１ｂに湾曲した欄間５２ｂを取り付ける場合には、図４に示す様に、まず、２つの欄間取付用蝶番１０の第１ピン１２が一直線上に位置する様に欄間取付用蝶番１０の位置を調整し、取付板１１の３つの螺子孔１１ａに木螺子１１ｂを通し、取付板１１を桁５１ｂの上面に固定する。
【００３５】
次に、桁５１ｂと欄間５２ｂとの位置関係（桁５１ｂと欄間５２ｂとの距離）を調整する。例えば、図４において実線で示す位置関係で取り付ける様にしても良いし、図４において破線で示す位置関係で取り付ける様にしても良い。そして、桁５１ｂと欄間５２ｂとの位置関係を決定したら、支持板１５の螺子孔１５ａが欄間５２ｂの厚さ方向の略中央に位置する様に支持板１５を回動させる。具体的には、図４に実線で示す様に、桁５１ｂと欄間５２ｂとの距離が長い状態で欄間５２ｂを取り付ける場合には、支持板１５を実線で示す様な位置に回動させ、図４に破線で示す様に、桁５１ｂと欄間５２ｂとの距離が短い状態で欄間５２ｂを取り付ける場合には、支持板１５を破線で示す様な位置に回動させる。
【００３６】
そして、支持板１５の螺子孔１５ａに木螺子１５ｂを通し、支持板１５を欄間５２ｂの上面に固定する。最後に、固定ナット１６を締め付けることによって支持板１５を回動板１３に固定する（支持板１５の回動を禁止する）。
【００３７】
尚、本実施例において、取付板１１が前述の第１板部材に相当し、第１ピン１２が前述の第１軸部材に相当し、回動板１３が前述の第２板部材に相当し、支持板１５が前述の可動腕部材に相当し、固定ナット１６が前述の腕部材固定手段に相当する。
【００３８】
続いて、本実施例の欄間取付用蝶番の効果について説明する。本実施例の欄間取付用蝶番１０によれば、蝶番本体１０ａの回動板１３に支持板１５が回動自在に取り付けられている。このため、支持板１５を回動させることによって、取付板１１の螺子孔１１ａと支持板１５の螺子孔１５ａとの距離（位置関係）を変化させることができる。従って、支持板１５を適宜回動させれば、桁５１ａ，５１ｂと欄間５２ａ，５２ｂとの隙間間隔を微調整して所望の隙間間隔とすることができる。
【００３９】
又、湾曲した遊技機設置島台５０ｂといっても、湾曲の度合い、即ち曲率は様々であるが、本実施例の欄間取付用蝶番１０によれば、支持板１５を適宜回動させることによって桁５１ｂを基準とする螺子孔１５ａの相対位置を調整することができるので、様々な曲率の桁５１ｂと欄間５２ｂとを１種類の欄間取付用蝶番１０によって取り付けることができる。
【００４０】
又、本実施例の欄間取付用蝶番１０によれば、固定ナット１６により支持板１５を回動板１３に固定する（支持板１５の回動を禁止する）ことができるので、桁５１ａ，５１ｂの所望位置に取付板１１を固定し、欄間５２ａ，５２ｂの所望位置に支持板１５を固定した後で、固定ナット１６により支持板１５の回動を禁止すれば、第１ピン１２を回動軸として取付板１１に対して回動板１３が回動する以外は何も動かなくなるので、欄間５２ａ，５２ｂの開閉動作を安定させることができる。
【００４１】
又、本実施例の欄間取付用蝶番１０によれば、支持板１５の回動軸として用いられる第２ピン１４と固定ナット１６とを用いて支持板１５を固定する（回動を禁止する）様に構成されているので、支持板１５を固定するための構成を簡素化することができ、欄間取付用蝶番１０の製作工程を簡素化することができる。
【００４２】
［第２実施例］まず、本実施例の欄間取付用蝶番の構成について説明する。図１（ｂ）は、本実施例の欄間取付用蝶番の構成を説明するための斜視図である。
【００４３】
本実施例の欄間取付用蝶番２０は、第１実施例の欄間取付用蝶番１０と同様に、図７に示す直線状の遊技機設置島台５０ａや図８に示す湾曲した遊技機設置島台５０ｂの上部を装飾するための欄間５２ａ，５２ｂを、桁５１ａ，５１ｂに対して開閉自在に取り付けるためのものであり、図１（ｂ）に示す様に、取付板２１，第１ピン２２，回動板２３からなる蝶番本体２０ａと、第３ピン２４と、Ｌ字状支持板２５と、固定ナット２６と、によって構成されている。
【００４４】
Ｌ字状支持板２５は、回動板２３の面に対して垂直に屈曲しており、一端側に回動板２３の面に対して垂直な取付面２５ａに木螺子用の螺子孔２５ｂが２つ設けられている。又、Ｌ字状支持板２５は、他端側に長孔２５ｄに第３ピン２４を貫通させて固定ナット２６で締め付けることによって回動板２３に固定され、第３ピン２４を回動軸として回動板２３の面に沿って回動することができると共に、長孔２５ｄの範囲内において回動板２３の面に沿って摺動することができる様に構成されている。尚、第３ピン２４の位置は不変である。
【００４５】
尚、蝶番本体２０ａ（取付板２１，螺子孔２１ａ，第１ピン２２，回動板２３），第３ピン２４，固定ナット２６は、各々、第１実施例の蝶番本体１０ａ（取付板１１，螺子孔１１ａ，第１ピン１２，回動板１３），第２ピン１４，固定ナット１６と同様の構成であるので、説明を省略する。
【００４６】
続いて、本実施例の欄間取付用蝶番の使用方法（欄間の取り付け方法）について説明する。図５，６は、欄間取付用蝶番２０を用いて、湾曲した桁５１ｂに湾曲した欄間５２ｂを取り付けた状態を説明するための平面図である。
【００４７】
欄間取付用蝶番２０を用いて、湾曲した桁５１ｂに湾曲した欄間５２ｂを取り付ける場合には、図５，６に示す様に、まず、２つの欄間取付用蝶番２０の第１ピン２２が一直線上に位置する様に欄間取付用蝶番２０の位置を調整し、取付板２１の３つの螺子孔２１ａに木螺子２１ｂを通し、取付板２１を桁５１ｂの上面に固定する。
【００４８】
次に、Ｌ字状支持板２５の取付面２５ａと欄間５２ｂの裏面とが略平行となる様に第３ピン２４を回動軸としてＬ字状支持板２５を回動させると共に、桁５１ｂと欄間５２ｂとが所定の間隔となる様に長孔２５ｄの範囲内でＬ字状支持板２５を摺動させる。
【００４９】
そして、Ｌ字状支持板２５の取付面２５ａの螺子孔２５ｂに木螺子２５ｃを通し、Ｌ字状支持板２５を欄間５２ｂの裏面に固定する。最後に、固定ナット２６を締め付けることによってＬ字状支持板２５を回動板２３に固定する（Ｌ字状支持板２５の回動を禁止する）。
【００５０】
この様な手順で、欄間５２ｂを桁５１ｂに固定する。本実施例でも、第１実施例と同様に、各欄間５２ｂの両端付近で各欄間５２ｂを欄間取付用蝶番２０を介して桁５１ｂに取り付ける。尚、本実施例において、取付板２１が前述の第１板部材に相当し、第１ピン２２が前述の第１軸部材に相当し、回動板２３が前述の第２板部材に相当し、第３ピン２４が前述の第２軸部材に相当し、Ｌ字状支持板２５が前述の可動腕部材に相当し、固定ナット２６が前述の腕部材固定手段に相当し、第３ピン２４を回動軸としてＬ字状支持板２５を回動板２３の板面に沿って回動させることにより取付面２５ａの向きを変化させる作用が前述の取付面方向変更手段の作用に相当し、第３ピン２４を回動軸としてＬ字状支持板２５を回動板２３の板面に沿って回動させると共に長孔２５ｄの範囲内でＬ字状支持板２５を回動板２３の板面に沿って摺動させることにより桁５１ｂから取付面２５ａまでの距離を変化させる作用が前述の取付面位置変更手段の作用に相当する。
【００５１】
続いて、本実施例の欄間取付用蝶番の効果について説明する。本実施例の欄間取付用蝶番２０によれば、Ｌ字状支持板２５は長孔２５ｄに第３ピン２４を貫通させることによって蝶番本体２０ａの回動板２３に取り付けられている。従って、長孔２５ｄの範囲内でＬ字状支持板２５を回動板２３の面に沿って適宜摺動させれば、桁５１ｂと欄間５２ｂとの隙間間隔を微調整して所望の隙間間隔とすることができる。
【００５２】
又、本実施例の欄間取付用蝶番２０によれば、Ｌ字状支持板２５を適宜回動させることによってＬ字状支持板２５の取付面２５ａと欄間５２ｂの裏面とが略平行となる様に調整することができるので、様々な曲率の桁５１ｂと欄間５２ｂとを１種類の欄間取付用蝶番２０によって取り付けることができる。
【００５３】
又、本実施例の欄間取付用蝶番２０によれば、固定ナット２６によりＬ字状支持板２５を回動板２３に固定する（Ｌ字状支持板２５の回動を禁止する）ことができるので、桁５１ｂの所望位置に取付板２１を固定し、欄間５２ｂの所望位置にＬ字状支持板２５を固定した後で、固定ナット２６によりＬ字状支持板２５の回動を禁止すれば、第１ピン２２を回動軸として取付板２１に対して回動板２３が回動する以外は何も動かなくなるので、欄間５２ｂの開閉動作を安定させることができる。
【００５４】
又、本実施例の欄間取付用蝶番２０によれば、Ｌ字状支持板２５の回動軸として用いられる第３ピン２４と固定ナット２６とを用いてＬ字状支持板２５を固定する（回動を禁止する）様に構成されているので、Ｌ字状支持板２５を固定するための構成を簡素化することができ、欄間取付用蝶番２０の製作工程を簡素化することができる。
【００５５】
又、本実施例の欄間取付用蝶番２０によれば、Ｌ字状支持板２５を回動させて、取付面２５ａと欄間５２ｂの裏面とが平行に対向する様に取り付けることができるので、欄間５２ｂの裏面に何等加工を施すことなく、Ｌ字状支持板２５を欄間５２ｂの裏面に固定することができる。従って、無駄な加工時間を省くことができ、又、欄間５２ｂの強度を低下させてしまうこともない。又、取付面２５ａの向きが欄間５２ｂの裏面に対して垂直であり、欄間５２ｂに作用する重力の向きは取付面２５ａの向きに対して垂直となるので、木螺子２５ｃの挿入方向（抜出方向）には大きな力が作用しない。従って、欄間５２ｂの上面で取り付ける場合に比べ、欄間５２ｂをより一層安定した状態で支持することができる。
【００５６】
［第３実施例］まず、本実施例の欄間取付用蝶番の構成について説明する。図２（ａ）は、本実施例の欄間取付用蝶番の構成を説明するための斜視図である。
【００５７】
本実施例の欄間取付用蝶番３０は、第１実施例の欄間取付用蝶番１０及び第２実施例の欄間取付用蝶番２０と同様に、図７に示す直線状の遊技機設置島台５０ａや図８に示す湾曲した遊技機設置島台５０ｂの上部を装飾するための欄間５２ａ，５２ｂを、桁５１ａ，５１ｂに対して開閉自在に取り付けるためのものであり、図２（ａ）に示す様に、取付板３１，第１ピン３２，回動板３３からなる蝶番本体３０ａと、第４ピン３４と、支持板３５と、固定ナット３６と、取付角柱３７と、第５ピン３８と、固定ナット３９と、によって構成されている。
【００５８】
支持板３５には、第５ピン３８を回動軸として支持板３５の下面に沿って回動自在に取付角柱３７が取り付けられている。取付角柱３７は、中空の箱体であり、直線状の遊技機設置島台５０ａの欄間５２ａや湾曲した遊技機設置島台５０ｂの欄間５２ｂに木螺子によって取り付けるための螺子孔３７ａが２つ設けられている。
【００５９】
第５ピン３８には螺子山が形成されており、第５ピン３８に螺合されている固定ナット３９を締め付けることによって取付角柱３７を支持板３５に固定する（取付角柱３７の回動を禁止する）様に構成されている。尚、取付角柱３７，第５ピン３８，固定ナット３９以外の部分は、第１実施例の欄間取付用蝶番１０と略同様の構成であるので、説明を省略する。
【００６０】
続いて、本実施例の欄間取付用蝶番の使用方法（欄間の取り付け方法）について説明する。欄間取付用蝶番３０を用いて、湾曲した桁５１ｂに湾曲した欄間５２ｂを取り付ける場合には、まず、２つの欄間取付用蝶番３０の第１ピン３２が一直線上に位置する様に欄間取付用蝶番３０の位置を調整し、取付板３１の３つの螺子孔３１ａに木螺子を通し、取付板３１を桁５１ｂの上面に固定する。
【００６１】
次に、取付角柱３７の取付面（図２（ａ）において螺子孔３７ａが設けられている面）と欄間５２ｂの裏面とが略平行となると共に桁５１ｂと欄間５２ｂとが所定の間隔となる様に、第４ピン３４を回動軸として支持板３５を回動させると共に第５ピン３８を回動軸として取付角柱３７を回動させる。
【００６２】
そして、取付角柱３７の螺子孔３７ａに木螺子を通して欄間５２ｂの裏面に固定する。最後に、固定ナット３６を締め付けることによって支持板３５を回動板３３に固定する（支持板３５の回動を禁止する）と共に、固定ナット３９を締め付けることによって取付角柱３７を支持板３５に固定する（取付角柱３７の回動を禁止する）。
【００６３】
この様な手順で、欄間５２ｂを桁５１ｂに固定する。本実施例でも、第１実施例と同様に、各欄間５２ｂの両端付近で各欄間５２ｂを欄間取付用蝶番３０を介して桁５１ｂに取り付ける。尚、本実施例において、取付板３１が前述の第１板部材に相当し、第１ピン３２が前述の第１軸部材に相当し、回動板３３が前述の第２板部材に相当し、第４ピン３４が前述の第３軸部材に相当し、第５ピン３８が前述の第４軸部材に相当し、支持板３５，取付角柱３７，第５ピン３８，固定ナット３９が前述の可動腕部材に相当し（これらの内、支持板３５が前述の第１腕部に相当し、取付角柱３７が前述の第２腕部に相当し）、固定ナット３６，３９が前述の腕部材固定手段に相当し、第５ピン３８を回動軸として取付角柱３７を回動させることにより取付面の向きを変化させる作用又は第４ピン３４を回動軸として支持板３５を回動させることにより取付面の向きを変化させる作用が前述の取付面方向変更手段の作用に相当し、第４ピン３４を回動軸として支持板３５を回動させると共に第５ピン３８を回動軸として取付角柱３７を回動させることにより桁５１ｂから取付面までの距離を変化させる作用が前述の取付面位置変更手段の作用に相当する。
【００６４】
続いて、本実施例の欄間取付用蝶番の効果について説明する。本実施例の欄間取付用蝶番３０によれば、第４ピン３４を回動軸として支持板３５を回動させることができると共に第５ピン３８を回動軸として取付角柱３７を回動させることができるので、様々な曲率の桁５１ｂと欄間５２ｂとを１種類の欄間取付用蝶番２０によって取り付けることができると共に、桁５１ｂと欄間５２ｂとの隙間間隔を微調整して所望の隙間間隔とすることができる。
【００６５】
又、本実施例の欄間取付用蝶番３０によれば、固定ナット３６により支持板３５を回動板３３に固定する（支持板３５の回動を禁止する）と共に、固定ナット３９により取付角柱３７を支持板３５に固定する（取付角柱３７の回動を禁止する）ことができるので、桁５１ａ，５１ｂの所望位置に取付板３１を固定し、欄間５２ａ，５２ｂの所望位置に取付角柱３７を固定した後で、固定ナット３６により支持板３５の回動を禁止すると共に固定ナット３９により取付角柱３７の回動を禁止すれば、第１ピン３２を回動軸として取付板３１に対して回動板３３が回動する以外は何も動かなくなるので、欄間５２ａ，５２ｂの開閉動作を安定させることができる。
【００６６】
又、本実施例の欄間取付用蝶番３０によれば、支持板３５の回動軸として用いられる第４ピン３４と固定ナット３６とを用いて支持板３５を固定する（回動を禁止する）様に構成されているので、支持板３５を固定するための構成を簡素化することができ、欄間取付用蝶番３０の製作工程を簡素化することができる。
【００６７】
又、本実施例の欄間取付用蝶番３０によれば、支持板３５及び取付角柱３７を回動させて、取付角柱３７の取付面と欄間５２ｂの裏面とが平行に対向する様に取り付けることができるので、欄間５２ｂの裏面に何等加工を施すことなく、取付角柱３７を欄間５２ｂの裏面に固定することができる。従って、無駄な加工時間を省くことができ、又、欄間５２ｂの強度を低下させてしまうこともない。又、取付角柱３７の取付面の向きが欄間５２ｂの裏面に対して垂直であり、欄間５２ｂに作用する重力の向きは取付角柱３７の取付面の向きに対して垂直となるので、取付角柱３７を欄間５２ｂに固定するための木螺子の挿入方向（抜出方向）には大きな力が作用しない。従って、欄間５２ｂの上面で取り付ける場合に比べ、欄間５２ｂをより一層安定した状態で支持することができる。
【００６８】
［第４実施例］まず、本実施例の欄間取付用蝶番の構成について説明する。図２（ｂ）は、本実施例の欄間取付用蝶番の構成を説明するための斜視図である。
【００６９】
本実施例の欄間取付用蝶番４０は、第１実施例の欄間取付用蝶番１０，第２実施例の欄間取付用蝶番２０，第３実施例の欄間取付用蝶番３０と同様に、図７に示す直線状の遊技機設置島台５０ａや図８に示す湾曲した遊技機設置島台５０ｂの上部を装飾するための欄間５２ａ，５２ｂを、桁５１ａ，５１ｂに対して開閉自在に取り付けるためのものであり、図２（ｂ）に示す様に、取付板４１，第１ピン４２，回動板４３からなる蝶番本体４０ａと、第６ピン４４と、Ｌ字状支持板４５と、固定ナット４６と、によって構成されている。
【００７０】
Ｌ字状支持板４５は、回動板４３の面に対して垂直に屈曲しており、回動板４３の面に対して垂直な取付面４５ａ部分に木螺子用の螺子孔４５ｂが２つ設けられている。尚、蝶番本体４０ａ（取付板４１，螺子孔４１ａ，第１ピン４２，回動板４３），第６ピン４４，固定ナット４６は、各々、第３実施例の蝶番本体３０ａ（取付板３１，螺子孔３１ａ，第１ピン３２，回動板３３），第４ピン３４，固定ナット３６と同様の構成であるので、説明を省略する。
【００７１】
続いて、本実施例の欄間取付用蝶番の使用方法（欄間の取り付け方法）について説明する。欄間取付用蝶番４０を用いて、湾曲した桁５１ｂに湾曲した欄間５２ｂを取り付ける場合には、まず、２つの欄間取付用蝶番４０の第１ピン４２が一直線上に位置する様に欄間取付用蝶番４０の位置を調整し、取付板４１の３つの螺子孔４１ａに木螺子を通し、取付板４１を桁５１ｂの上面に固定する。
【００７２】
次に、Ｌ字状支持板４５の取付面４５ａと欄間５２ｂの裏面とが平行となる様にＬ字状支持板４５を回動させる。そして、Ｌ字状支持板４５の取付面４５ａの螺子孔４５ｂに木螺子を通し、Ｌ字状支持板４５を欄間５２ｂの裏面に固定する。
【００７３】
最後に、固定ナット４６を締め付けることによってＬ字状支持板４５を回動板４３に固定する（Ｌ字状支持板４５の回動を禁止する）。この様な手順で、欄間５２ｂを桁５１ｂに固定する。本実施例でも、第１実施例と同様に、各欄間５２ｂの両端付近で各欄間５２ｂを欄間取付用蝶番４０を介して桁５１ｂに取り付ける。
【００７４】
尚、本実施例において、取付板４１が前述の第１板部材に相当し、第１ピン４２が前述の第１軸部材に相当し、回動板４３が前述の第２板部材に相当し、Ｌ字状支持板４５が前述の可動腕部材に相当し、固定ナット４６が前述の腕部材固定手段に相当し、第６ピン４４を回動軸としてＬ字状支持板４５を回動板４３の板面に沿って回動させることにより取付面２５ａの向きを変化させる作用が前述の取付面方向変更手段の作用に相当する。
【００７５】
続いて、本実施例の欄間取付用蝶番の効果について説明する。本実施例の欄間取付用蝶番４０によれば、Ｌ字状支持板４５を適宜回動させることによってＬ字状支持板４５の取付面４５ａと欄間５２ｂの裏面とが平行となる様に調整することができるので、様々な曲率の桁５１ｂと欄間５２ｂとを１種類の欄間取付用蝶番４０によって取り付けることができる。
【００７６】
又、本実施例の欄間取付用蝶番４０によれば、固定ナット４６によりＬ字状支持板４５を回動板４３に固定する（Ｌ字状支持板４５の回動を禁止する）ことができるので、桁５１ｂの所望位置に取付板４１を固定し、欄間５２ｂの所望位置にＬ字状支持板４５を固定した後で、固定ナット４６によりＬ字状支持板４５の回動を禁止すれば、第１ピン４２を回動軸として取付板４１に対して回動板４３が回動する以外は何も動かなくなるので、欄間５２ｂの開閉動作を安定させることができる。
【００７７】
又、本実施例の欄間取付用蝶番４０によれば、Ｌ字状支持板４５を回動させて、取付面４５ａと欄間５２ｂの裏面とが平行に対向する様に取り付けることができるので、欄間５２ｂの裏面に何等加工を施すことなく、Ｌ字状支持板４５を欄間５２ｂの裏面に固定することができる。従って、無駄な加工時間を省くことができ、又、欄間５２ｂの強度を低下させてしまうこともない。又、取付面４５ａの向きが欄間５２ｂの裏面に対して垂直であり、欄間５２ｂに作用する重力の向きは取付面４５ａの向きに対して垂直となるので、木螺子の挿入方向（抜出方向）には大きな力が作用しない。従って、欄間５２ｂの上面で取り付ける場合に比べ、欄間５２ｂをより一層安定した状態で支持することができる。
【００７８】
以上、第１及び第２の発明の実施の形態について説明したが、第１及び第２の発明は前述した４つの実施例に何等限定されるものではなく、更に種々の態様において実施しても良いことはもちろんである。例えば、第１実施例では、螺子孔１１ａが３つ、螺子孔１５ａが１つ設けられた欄間取付用蝶番１０を挙げ、第２実施例では、螺子孔２１ａが３つ、螺子孔２５ｂが２つ設けられた欄間取付用蝶番２０を挙げ、第３実施例では、螺子孔３１ａが３つ、螺子孔３７ａが２つ設けられた欄間取付用蝶番３０を挙げ、第４実施例では、螺子孔４１ａが３つ、螺子孔４５ｂが２つ設けられた欄間取付用蝶番２０を挙げたが、螺子孔の数は適宜選択することができる。
【００７９】
又、第１実施例では、固定ナット１６を締め付けることによって支持板１５を回動板１３に固定する（支持板１５の回動を禁止する）様に構成され、第２実施例では、固定ナット２６を締め付けることによってＬ字状支持板２５を回動板２３に固定する（Ｌ字状支持板２５の回動を禁止する）様に構成され、第３実施例では、固定ナット３６を締め付けることによって支持板３５を回動板３３に固定する（支持板３５の回動を禁止する）様に構成され、第４実施例では、固定ナット４６を締め付けることによってＬ字状支持板４５を回動板４３に固定する（Ｌ字状支持板４５の回動を禁止する）様に構成されているが、固定した後で再度回動させる必要がなければ、金属用接着剤等によって固定しても良い。
【００８０】
又、支持板１５，Ｌ字状支持板２５，支持板３５，Ｌ字状支持板４５に、第２ピン１４，第３ピン２４，第４ピン３４，第６ピン４４を貫通させるための孔とは別の固定用孔を設けると共に、回動板１３，２３，３３，４３にも固定用孔を設け、２つの固定用孔に棒を貫通させてこの棒と第２ピン１４，第３ピン２４，第４ピン３４，第６ピン４４とによって支持板１５，Ｌ字状支持板２５，支持板３５，Ｌ字状支持板４５の回動を禁止する様に構成されていても良い。又、棒の代わりにボルトを貫通させてナットで締め付けて固定する様に構成されていても良い。又、クリップや万力の様な機構のものによって支持板１５，Ｌ字状支持板２５，支持板３５，Ｌ字状支持板４５と回動板１３，２３，３３，４３とを挟んで固定する様に構成されていても良い。即ち、第２ピン１４，第３ピン２４，第４ピン３４，第６ピン４４とは別の部材によって支持板１５，Ｌ字状支持板２５，支持板３５，Ｌ字状支持板４５を固定する様に構成されていても良い。
【図面の簡単な説明】
【図１】 第１実施例の欄間取付用蝶番の斜視図（ａ）及び第２実施例の欄間取付用蝶番の斜視図（ｂ）である。
【図２】 第３実施例の欄間取付用蝶番の斜視図（ａ）及び第４実施例の欄間取付用蝶番の斜視図（ｂ）である。
【図３】 第１実施例の欄間取付用蝶番の取付態様を説明するための平面図である。
【図４】 第１実施例の欄間取付用蝶番の取付態様を説明するための平面図である。
【図５】 第２実施例の欄間取付用蝶番の取付態様を説明するための平面図である。
【図６】 第２実施例の欄間取付用蝶番の取付態様を説明するための平面図である。
【図７】 遊技機設置島台の側面断面図である。
【図８】 湾曲した遊技機設置島台の斜視図である。
【図９】 従来の欄間取付用蝶番の構成及び取付態様を説明するための遊技機設置島台の平面図である。
【符号の説明】
１０…欄間取付用蝶番 １０ａ…蝶番本体 １１…取付板 １１ａ…螺子孔 １１ｂ…木螺子 １２…第１ピン １３…回動板 １４…第２ピン １５…支持板 １５ａ…螺子孔 １５ｂ…木螺子 １６…固定ナット ２０…欄間取付用蝶番 ２０ａ…蝶番本体 ２１…取付板 ２１ａ…螺子孔 ２１ｂ…木螺子 ２２…第１ピン ２３…回動板 ２４…第３ピン ２５…Ｌ字状支持板 ２５ａ…取付面 ２５ｂ…螺子孔 ２５ｃ…木螺子 ２５ｄ…長孔 ２６…固定ナット ３０…欄間取付用蝶番３０ａ…蝶番本体 ３１…取付板 ３１ａ…螺子孔 ３２…第１ピン３３…回動板 ３４…第４ピン ３５…支持板 ３５ａ…螺子孔 ３６…固定ナット ３７…取付角柱 ３７ａ…螺子孔 ３８…第５ピン３９…固定ナット ４０…欄間取付用蝶番 ４０ａ…蝶番本体 ４１…取付板 ４１ａ…螺子孔 ４２…第１ピン ４３…回動板 ４４…第６ピン ４５…Ｌ字状支持板 ４５ａ…取付面 ４５ｂ…螺子孔 ４６…固定ナット ５０ａ…（直線状の）遊技機設置島台 ５０ｂ…（湾曲した）遊技機設置島台 ５１ａ…（直線状の）桁 ５１ｂ…（湾曲した）桁 ５２ａ…（直線状の）欄間 ５２ｂ…（湾曲した）欄間 ５２ｃ…取付面 ６０…蝶番 ７０…遊技機。
【図１】
0004482978.tif 000002
【図２】
0004482978.tif 000003
【図３】
0004482978.tif 000004
【図４】
0004482978.tif 000005
【図５】
0004482978.tif 000006
【図６】
0004482978.tif 000007
【図７】
0004482978.tif 000008
【図８】
0004482978.tif 000009
【図９】
0004482978.tif 000010